(57)【要約】【課題】絶縁ハウジングと複数のコンタクトと回動アクチュエータとを備え、比較的簡単で小型・薄型化に適した構成をもって、絶縁ハウジングに差し込まれた配線板部材の絶縁ハウジングからの抜脱を確実に防止することができるコネクタ装置を提供する。【解決手段】アクチュエータ３０における、第１の端縁部に配線基板差込み部１２が設けられた絶縁ハウジング１１に対して伏したものとされる静止位置をとるとき仮想回転中心軸の位置より絶縁ハウジング１１の第１の端縁部に対向する第２の端縁部寄りとなる位置又は第２の端縁部の外方側となる位置におかれる部分に、配線板部材差込み部１２を通じて絶縁ハウジング１１に差し込まれたフレキシブル印刷配線基板１３が備える係止部１７，１８に係合して、フレキシブル印刷配線基板１３の絶縁ハウジング１１からの抜脱を阻止する係合部３６，３７が設けられる。【選択図】図５
2010257933.tif 000002
【特許請求の範囲】
【請求項１】
第１の端縁部に配線板部材差込み部が設けられた絶縁ハウジングと、
該絶縁ハウジング内に配列配置され、配線板部材が上記配線板部材差込み部を通じて上記絶縁ハウジングに差し込まれるとき、差し込まれた上記配線板部材に配列配置された複数の接続端子部に夫々対応する位置をとるものとされる複数のコンタクトと、
上記絶縁ハウジングの上記第１の端縁部に対向する第２の端縁部側において上記複数のコンタクトの配列方向に伸びる仮想回転中心軸を伴って上記絶縁ハウジングに対して回動可能に設けられ、第１の静止位置と第２の静止位置とを選択的にとり、上記複数のコンタクトに係合して、上記配線板部材が上記配線板部材差込み部を通じて上記絶縁ハウジングに差し込まれたもとで、上記第１の端縁部から上記第２の端縁部に向かう方向に回動して上記第１の静止位置から上記第２の静止位置に移行するとき、上記複数のコンタクトの夫々に上記複数の接続端子部のうちの対応するものに対する押圧接触状態をとらせ、上記第２の端縁部から上記第１の端縁部に向かう方向に回動して上記第２の静止位置から上記第１の静止位置に移行するとき、上記複数のコンタクトの夫々を上記複数の接続端子部のうちの対応するものに対する押圧接触状態から解放するアクチュエータと、
を備えて成り、
上記アクチュエータの、上記第２の静止位置をとるとき上記仮想回転中心軸の位置より上記第２の端縁部寄り又は上記第２の端縁部の外方側となる位置におかれる部分に、上記配線板部材差込み部を通じて上記絶縁ハウジングに差し込まれた配線板部材が備える係止部に係合して、該配線板部材の上記絶縁ハウジングからの抜脱を阻止する係合部が設けられることを特徴とするコネクタ装置。
【請求項２】
上記係合部が、上記アクチュエータにおける上記複数のコンタクトの配列方向において該複数のコンタクトを挟む一対の側端部のうちの少なくとも一方に設けられることを特徴とする請求項１記載のコネクタ装置。
【請求項３】
上記係合部が、上記アクチュエータにおける上記複数のコンタクトの配列方向において該複数のコンタクトを挟む一対の側端部の夫々に設けられることを特徴とする請求項２記載のコネクタ装置。
【請求項４】
上記絶縁ハウジングが基板に取り付けられて固定され、上記アクチュエータが上記第２の静止位置をとって上記係合部が上記配線板部材差込み部を通じて上記絶縁ハウジングに差し込まれた配線板部材に設けられた係止部に係合するとき、上記係合部及び該係合部が係合した上記係止部が、上記仮想回転中心軸の位置より上記基板側の位置におかれることを特徴とする請求項１記載のコネクタ装置。
【請求項５】
上記絶縁ハウジングが、上記配線板部材差込み部を通じて上記絶縁ハウジングに差し込まれた配線板部材に、該配線板部材の先端部分が上記絶縁ハウジングを貫通して該絶縁ハウジングの上記第２の端縁部の外方に露出する状態をとらせることを特徴とする請求項１記載のコネクタ装置。
【請求項６】
上記係合部が、上記配線板部材差込み部を通じて上記絶縁ハウジングに差し込まれた配線板部材における上記絶縁ハウジングの上記第２の端縁部の外方に露出する先端部分に設けられた係止部に係合することを特徴とする請求項５記載のコネクタ装置。
【請求項７】
上記係合部が、上記係止部に係合するとき、上記絶縁ハウジングの上記第２の端縁部にも係合することを特徴とする請求項１記載のコネクタ装置。
【請求項８】
上記絶縁ハウジングの上記第２の端縁部に、上記係合部が係合する隆起部が設けられることを特徴とする請求項７記載のコネクタ装置。
【請求項９】
上記係合部が突起部とされるとともに上記係止部が透孔部とされ、上記突起部が上記透孔部を貫通して該透孔部に係合するとともに、上記突起部の先端が上記絶縁ハウジングの上記第２の端縁部に係合することを特徴とする請求項７記載のコネクタ装置。
【請求項１０】
上記アクチュエータにおける上記係合部の近傍に凸部が設けられ、上記係合部が上記係止部に係合するとき、上記凸部が上記配線板部材における上記係止部が設けられた部分を押圧して上記係止部を上記絶縁ハウジングの上記第２の端縁部に係合させることを特徴とする請求項１記載のコネクタ装置。
【請求項１１】
上記絶縁ハウジングの上記第２の端縁部に、上記配線板部材における上記係止部が係合する隆起部が設けられることを特徴とする請求項１０記載のコネクタ装置。
【請求項１２】
上記係合部が突起部とされるとともに上記係止部が透孔部とされ、上記凸部が上記配線板部材における上記係止部が設けられた部分を押圧するとき、上記透孔部が上記絶縁ハウジングの上記第２の端縁部に係合することを特徴とする請求項１０記載のコネクタ装置。
【発明の詳細な説明】
【技術分野】
【０００１】
本願の特許請求の範囲に記載された発明は、フレキシブル印刷配線基板（ＦＰＣ）等の配線板部材が差し込まれるハウジングを有し、そのハウジング内に配線板部材に設けられた接続端子部に押圧接触するコンタクトを備えたコネクタ装置に関する。
【背景技術】
【０００２】
各種の電子機器に実装される比較的小型なフレキシブル印刷配線基板等の配線板部材は、種々の電気部品が取り付けられる主印刷配線基板への取付けが、当該主印刷配線基板に電気的接続がなされて固着されたコネクタ装置が用いられて行われることが多いものとされる。このような配線板部材の主印刷配線基板への取付けにあたって用いられるコネクタ装置は、配線板部材に設けられた接続端子部に接触する導電性のコンタクトを有していて、そのコンタクトを介して、配線板部材に設けられた接続端子部を主印刷配線基板に設けられた印刷配線部に電気的に接続する。
【０００３】
従来提案されている、例えば、フレキシブル印刷配線基板とされる配線板部材の主印刷配線基板への取付けに用いられるコネクタ装置は、配線板部材が差し込まれる差込み部が設けられた絶縁ハウジングを有したものとされる。そして、その絶縁ハウジング内に配列配置されて設けられ、配線板部材が差込み部を通じて絶縁ハウジングに差し込まれるとき、その配線板部材に設けられた複数の接続端子部に夫々対応するものとなる複数のコンタクトと、絶縁ハウジングに対して回動可能に設けられ、複数のコンタクトの夫々に係合して、回動せしめられるとき複数のコンタクトの夫々における作動部を変位させ、それにより複数のコンタクトを複数の接続端子部に夫々押圧接触させるアクチュエータとが備えられる。
【０００４】
複数のコンタクトの各々は、導電性の弾性材料で形成され、絶縁ハウジングに固定される部分である固定部と、連結部により固定部に連結されて変位可能とされた部分である可動部と、を有するものとされる。そして、固定部は、主印刷配線基板に設けられた印刷配線部等の配線部に電気的に接続され、また、可動部は、配線板部材に設けられた接続端子部に押圧接触する接触部が設けられたもとで、アクチュエータによって変位せしめられる。
【０００５】
このようなコネクタ装置にあっては、絶縁ハウジングに差込み部を通じて配線板部材が差し込まれたもとで、アクチュエータが所定の方向に回動せしめられると、アクチュエータが、複数のコンタクトの夫々における可動部を変位させて、当該可動部の接触部に配線板部材に設けられた複数の接続端子部のうちの対応するものに対する押圧接触状態をとらせる。また、複数のコンタクトの各々における可動部の接触部が配線板部材に設けられた複数の接続端子部のうちの対応するものに押圧接触する状態をとるもとで、アクチュエータが上述の所定の方向とは逆の方向に回動せしめられると、アクチュエータが、複数のコンタクトの夫々における可動部を変位させて、当該可動部の接触部を配線板部材に設けられた複数の接続端子部のうちの対応するものに対する押圧接触状態から解放する（例えば、特許文献１参照。）。
【０００６】
特許文献１に示されるコネクタ装置にあっては、複数のコンタクト（端子）の夫々が、全体がエ字状の板状体とされている。斯かるエ字状の板状体における、連結部によって相互連結された一対のビーム部のうちの一方が固定部とされ、他方が可動部とされる。配線板部材が差込み部を通じて絶縁ハウジングに差し込まれるときには、配線板部材における複数の接続端子部が設けられた部分が、複数のコンタクトの夫々における固定部と可動部との間に配される。そして、回動可能とされたアクチュエータを回動させて、複数のコンタクトの夫々における可動部を変位させ、当該可動部の接触部に配線板部材に設けられた複数の接続端子部のうちの対応するものに対する押圧接触状態をとらせる際には、複数のコンタクトの夫々において、可動部の接触部が、固定部とで配線板部材における複数の接続端子部が設けられた部分を挟持するようにして、複数の接続端子部のうちの対応するものに対する押圧接触状態をとるものとされる。
【０００７】
このようなコネクタ装置において、配線板部材が差込み部を通じて絶縁ハウジングに差し込まれ、絶縁ハウジング内に配された複数のコンタクトが配線板部材の複数の接続端子部に対する押圧接触状態をとるときには、配線板部材が絶縁ハウジングから抜け出してしまうことなく、絶縁ハウジングに差し込まれた状態を安定に維持することが要される。そのため、特許文献１に示されるコネクタ装置と略同様な構成をとるもとで、配線板部材の絶縁ハウジングからの抜脱を防止する手段を備えたコネクタ装置が提案されている（例えば、特許文献２参照。）。
【０００８】
特許文献２に示されるコネクタ装置にあっては、複数のコンタクトの夫々と同様に構成されて、コンタクトにおける可動部の接触部に対応する部分が係合部として機能するものとされたロック部材（コンタクト状ロック部材）が設けられている。このコンタクト状ロック部材は、複数のコンタクトとともに配列配置されて、スライダー（アクチュエータ）の回動押圧部に係合する状態におかれる。そして、コンタクト状ロック部材における係合部が設けられた可動部は、アクチュエータの回動に伴って変位し、配線板部材が絶縁ハウジングに差込み部を通じて差し込まれたとき、係合部を当該配線板部材に設けられた係止部に係合させて、配線板部材の絶縁ハウジングからの抜脱を防止する。
【０００９】
また、特許文献１に示されるコネクタ装置に備えられるコンタクト及びアクチュエータとは異なる構成を有したコンタクト（端子）及びアクチュエータ（回動部材）を有した構成をとるもとで、配線板部材の絶縁ハウジングからの抜脱を防止する手段を備えたコネクタ装置も提案されている（例えば、特許文献３参照。）。
【００１０】
特許文献３に示されるコネクタ装置にあっては、配線板部材（フレキシブル基板）が差込み部を通じて絶縁ハウジングに差し込まれて、コンタクトである端子がフレキシブル基板に配された接続端子部（導体）に対する押圧接触状態におかれるときには、回動部材が絶縁ハウジングに差し込まれたフレキシブル基板の補強板に覆い被さる方向に回動される。そして、回動部材がフレキシブル基板の補強板に覆い被さったとき、その回動部材に設けられた係合部（凸部）が絶縁ハウジングに差し込まれたフレキシブル基板の補強板に設けられた係止部（穴）に係合して、フレキシブル基板の絶縁ハウジングからの抜脱を防止する。
【先行技術文献】
【特許文献】
【００１１】
【特許文献１】特開２００２−２７０２９０号公報（段落００２０〜００２３、図６，図７）
【特許文献２】特開２００４−２２１０６７号公報（段落００１６〜００１８、図２〜４，図７）
【特許文献３】特開２００６−１４７４０７号公報（段落００２５〜００３９、図２〜５）
【発明の概要】
【発明が解決しようとする課題】
【００１２】
上述のような配線板部材の絶縁ハウジングからの抜脱を防止する手段を備えた従来のコネクタ装置であって、当該手段が、配線板部材が絶縁ハウジングに差し込まれたもとでの、配線板部材に設けられた係止部とそれに係合するコンタクト状ロック部材とによって構成されるものにあっては、絶縁ハウジングに配線板部材が差し込まれて、コンタクト状ロック部材が配線板部材に設けられた係止部に係合した状態にあるもとで、配線板部材にそれを絶縁ハウジングから抜脱させる方向の外力、即ち、配線板部材の抜脱方向の外力が作用すると、その外力が、配線板部材に設けられた係止部を介してコンタクト状ロック部材に伝達される。コンタクト状ロック部材は、全体がエ字状の板状体とされた各コンタクトと同様に構成されたものとされていて、配線板部材の抜脱方向の力についての耐性は比較的小である。それゆえ、配線板部材を通じてコンタクト状ロック部材に伝えられる配線板部材の抜脱方向の外力が比較的大とされる場合には、コンタクト状ロック部材が、塑性変形を生じて、配線板部材に設けられた係止部に対する係合を解除してしまう虞がある。従って、配線板部材に設けられた係止部とそれに係合するコンタクト状ロック部材とによる配線板部材の絶縁ハウジングからの抜脱防止には、確実性に欠けることになるという問題がある。
【００１３】
このような問題については、例えば、コンタクト状ロック部材を形成する板状体の厚みを増大させる等の策を施してコンタクト状ロック部材を塑性変形を生じ難いものとすることにより回避することが考えられ得るが、斯かる際には、コンタクト状ロック部材の特殊化や大型化がもたらされ、それに伴って、コネクタ装置の構成の複雑化や全体の大型化がまねかれることになり、コネクタ装置に対する構成の簡単化，小型・薄型化等の要望に応えられないことになってしまう。
【００１４】
また、上述の配線板部材の絶縁ハウジングからの抜脱を防止する手段を備えた従来のコネクタ装置であって、当該手段が、回動部材が絶縁ハウジングに差し込まれた配線板部材を成すフレキシブル基板の補強板に覆い被さる状態をとるもとでの、フレキシブル基板の補強板に設けられた穴とそれに係合する回動部材に設けられた凸部とによって構成されるものにあっては、フレキシブル基板が絶縁ハウジングに差し込まれて、回動部材に設けられた凸部がフレキシブル基板の補強板に設けられた穴に係合する状態をとるとき、その穴に係合した凸部は、回動部材についての仮想回転中心軸の位置からフレキシブル基板の絶縁ハウジングからの抜脱方向に離隔した位置におかれる。
【００１５】
そのため、絶縁ハウジングにフレキシブル基板が差し込まれて、フレキシブル基板の補強板に設けられた穴に回動部材に設けられた凸部が係合した状態にあるもとで、フレキシブル基板にそれを絶縁ハウジングから抜脱させる方向の外力、即ち、フレキシブル基板の抜脱方向の外力が作用し、その外力が、フレキシブル基板の補強板に設けられた穴を介して回動部材に設けられた凸部に伝えられると、当該外力は、凸部を介して回動部材に、フレキシブル基板の補強板から離隔させる方向に、仮想回転中心軸の周りを回動させる作用を及ぼす。それゆえ、フレキシブル基板の補強板に設けられた穴を介して回動部材に設けられた凸部に伝えられるフレキシブル基板の抜脱方向の外力が比較的大とされる場合には、回動部材の仮想回転中心軸の周りの回動量も比較的大とされ、回動部材がフレキシブル基板の補強板から離隔して、回動部材に設けられた凸部がフレキシブル基板の補強板に設けられた穴に対する係合を解除してしまう虞がある。従って、フレキシブル基板の補強板に設けられた穴とそれに係合する回動部材に設けられた凸部とによるフレキシブル基板の絶縁ハウジングからの抜脱防止には、確実性に欠けることになるという問題がある。
【００１６】
また、上述のような、回動部材が絶縁ハウジングに差し込まれたフレキシブル基板の補強板に覆い被さる状態をとるもとでの、フレキシブル基板の補強板に設けられた穴とそれに係合する回動部材に設けられた凸部とによって構成される、フレキシブル基板の絶縁ハウジングからの抜脱を防止する手段は、コンタクトである端子がフレキシブル基板に配された接続端子部に対する押圧接触状態におかれるとき、アクチュエータ（回動部材）が、絶縁ハウジングに差し込まれた配線板部材に覆い被さる方向ではなく、絶縁ハウジングに差し込まれた配線板部材の接続端子部が配された部分から遠ざかる方向に回動せしめられるコネクタ装置には、適用することができないという不都合を伴っている。
【００１７】
斯かる点に鑑み、本願の特許請求の範囲に記載された発明は、例えば、フレキシブル印刷配線基板等とされる配線板部材の主印刷配線基板への取付けに用いられる、配線板部材差込み部が設けられた絶縁ハウジングと、絶縁ハウジング内に配列配置されて設けられる複数のコンタクトと、絶縁ハウジングに対して回動可能に配されて第１の静止位置と第２の静止位置とを選択的にとり、複数のコンタクトに係合して、配線板部材が配線板部材差込み部を通じて絶縁ハウジングに差し込まれたもとで、第１の静止位置から、絶縁ハウジング内に差し込まれた配線板部材の接続端子部が配された部分から遠ざかる方向に回動して、第２の静止位置に移行するとき、複数のコンタクトの夫々を配線板部材に配された接続端子部に対する押圧接触状態をとらせるアクチュエータと、を備えたコネクタ装置であって、比較的簡単で小型・薄型化に適した構成をもって、配線板部材差込み部を通じて絶縁ハウジングに差し込まれた配線板部材の絶縁ハウジングからの抜脱を確実に防止することができるものを提供する。
【課題を解決するための手段】
【００１８】
本願の特許請求の範囲における請求項１から請求項１２までのいずれかに記載された発明（以下、本願発明という。）に係るコネクタ装置は、第１の端縁部に配線板部材差込み部が設けられた絶縁ハウジングと、絶縁ハウジング内に配列配置され、配線板部材が配線板部材差込み部を通じて絶縁ハウジングに差し込まれるとき、差し込まれた配線板部材に配列配置された複数の接続端子部に夫々対応する位置をとるものとされる複数のコンタクトと、絶縁ハウジングの第１の端縁部に対向する第２の端縁部側において複数のコンタクトの配列方向に伸びる仮想回転中心軸を伴って絶縁ハウジングに対して回動可能に設けられ、第１の静止位置と第２の静止位置とを選択的にとり、複数のコンタクトに係合して、配線板部材が配線板部材差込み部を通じて絶縁ハウジングに差し込まれたもとで、絶縁ハウジングの第１の端縁部から第２の端縁部に向かう方向に回動して第１の静止位置から第２の静止位置に移行するとき、複数のコンタクトの夫々に複数の接続端子部のうちの対応するものに対する押圧接触状態をとらせ、絶縁ハウジングの第２の端縁部から第１の端縁部に向かう方向に回動して第２の静止位置から第１の静止位置に移行するとき、複数のコンタクトの夫々を複数の接続端子部のうちの対応するものに対する押圧接触状態から解放するアクチュエータと、を備えて成り、アクチュエータの、第２の静止位置をとるとき仮想回転中心軸の位置より絶縁ハウジングの第２の端縁部寄り又は第２の端縁部の外方側となる位置におかれる部分に、配線板部材差込み部を通じて絶縁ハウジングに差し込まれた配線板部材に備えられた係止部に係合して、配線板部材の絶縁ハウジングからの抜脱を阻止する係合部が設けられることを特徴とするものとされる。
【００１９】
特に、本願発明のうちの請求項７から請求項９までのいずれかに記載された発明に係るコネクタ装置は、アクチュエータが第２の静止位置をとり、アクチュエータに設けられた係合部が、配線板部材差込み部を通じて絶縁ハウジングに差し込まれた配線板部材に備えられた係止部に係合するとき、当該係合部が、絶縁ハウジングにおける配線板部材差込み部が設けられた第１の端縁部に対向する第２の端縁部にも係合することを特徴とするものとされる。
【００２０】
さらに、本願発明のうちの請求項１０から請求項１２までのいずれかに記載された発明に係るコネクタ装置は、アクチュエータに、係合部に加えて、その近傍に配される凸部が設けられたもとで、アクチュエータが第２の静止位置をとり、アクチュエータに設けられた係合部が、配線板部材差込み部を通じて絶縁ハウジングに差し込まれた配線板部材に備えられた係止部に係合するとき、アクチュエータに設けられた凸部が、配線板部材における係止部が設けられた部分を押圧して、係止部を絶縁ハウジングにおける配線板部材差込み部が設けられた第１の端縁部に対向する第２の端縁部にも係合させることを特徴とするものとされる。
【００２１】
このように構成される本願発明に係るコネクタ装置においては、仮想回転中心軸の周りを絶縁ハウジングの第１の端縁部から第２の端縁部に向かう方向に回動して第１の静止位置から第２の静止位置に移行し、また、仮想回転中心軸の周りを絶縁ハウジングの第２の端縁部から第１の端縁部に向かう方向に回動して第２の静止位置から第１の静止位置に移行するアクチュエータが、第２の静止位置をとるとき仮想回転中心軸の位置より絶縁ハウジングの第２の端縁部寄り又は第２の端縁部の外方側となる位置におかれる部分に、例えば、突起部とされる係合部が設けられたものとされる。そして、配線板部材が配線板部材差込み部を通じて絶縁ハウジングに差し込まれたもとで、アクチュエータが第２の静止位置におかれるとき、アクチュエータに設けられた係合部が、絶縁ハウジングに差し込まれた配線板部材に設けられた、例えば、透孔部とされる係止部に係合して、配線板部材の絶縁ハウジングからの抜脱を阻止する。
【００２２】
特に、本願発明のうちの請求項７から請求項９までのいずれかに記載された発明に係るコネクタ装置においては、配線板部材に設けられた係止部に係合したアクチュエータに設けられた係合部が、絶縁ハウジングにおける配線板部材差込み部が設けられた第１の端縁部に対向する第２の端縁部にも係合する。それにより、係合部が係止部に係合した状態がより安定に維持されるとともに、絶縁ハウジングに差し込まれた配線板部材にそれを絶縁ハウジングから抜脱させる方向の外力が作用するとき、その外力が、係止部及び係合部を介して絶縁ハウジングの第２の端縁部に伝達されて、絶縁ハウジングにより吸収されることになり、外力に対する耐性の向上が図られる。
【００２３】
さらに、本願発明のうちの請求項１０から請求項１２までのいずれかに記載された発明に係るコネクタ装置においては、アクチュエータに設けられた係合部が係合した配線板部材に設けられた係止部が、絶縁ハウジングにおける配線板部材差込み部が設けられた第１の端縁部に対向する第２の端縁部にも係合する。それにより、係合部が係止部に係合した状態がより安定に維持されるとともに、絶縁ハウジングに差し込まれた配線板部材にそれを絶縁ハウジングから抜脱させる方向の外力が作用するとき、その外力が、係止部を介して絶縁ハウジングの第２の端縁部に伝達されて、絶縁ハウジングにより吸収されることになり、外力に対する耐性の向上が図られる。
【００２４】
上述のようにして、アクチュエータが第２の静止位置におかれて、絶縁ハウジングに差し込まれた配線板部材に設けられた係止部に係合したアクチュエータにおける係合部は、アクチュエータについての仮想回転中心軸の位置より絶縁ハウジングの第２の端縁部寄り又は第２の端縁部の外方側となる位置、即ち、仮想回転中心軸の位置を挟んで配線板部材の接続端子部が配された部分とは反対側の位置におかれることになる。
【００２５】
斯かるもとで、本願発明に係るコネクタ装置においては、配線板部材差込み部を通じて絶縁ハウジングに差し込まれた配線板部材の絶縁ハウジングからの抜脱を防止する手段が、配線板部材に設けられた、例えば、透孔部とされる係止部とそれに係合すべくアクチュエータに設けられた、例えば、突起部とされる係合部とによって構成されている。
【００２６】
そして、本願発明に係るコネクタ装置にあっては、配線板部材が配線板部材差込み部を通じて絶縁ハウジング内に差し込まれるとき、差し込まれた配線板部材に配された複数の接続端子部が、複数のコンタクトに夫々対応する位置に配される。このようなもとで、アクチュエータが第１の静止位置から第２の静止位置へと移行せしめられるべく回動操作されると、第１の静止位置から第２の静止位置へと移行するアクチュエータが、複数のコンタクトの夫々に絶縁ハウジングに差し込まれた配線板部材における複数の接続端子部のうちの対応するものに対する押圧接触状態をとらせる。
【００２７】
また、その後、アクチュエータが第２の静止位置から第１の静止位置へと移行せしめられるべく回動操作されると、第２の静止位置から第１の静止位置へと移行するアクチュエータが、複数のコンタクトの夫々を絶縁ハウジングに差し込まれた配線板部材における複数の接続端子部のうちの対応するものに対する押圧接触状態から解放する。
【００２８】
このような本願発明に係るコネクタ装置は、例えば、電子機器の主配線基板に固定され、複数のコンタクトが主配線基板に配された回路端子部に電気的に接続される。そして、斯かるもとで、上述のように、配線板部材が本願発明に係るコネクタ装置における絶縁ハウジングに配線板部材差込み部を通じて差し込まれ、アクチュエータが第１の静止位置から第２の静止位置へと移行せしめられるべく回動操作されて、絶縁ハウジング内に配列配置された複数のコンタクトの夫々が、絶縁ハウジング内に差し込まれた配線板部材における複数の接続端子部のうちの対応するものに対する押圧接触状態をとるものとされることにより、配線板部材が、本願発明に係るコネクタ装置を介して、主配線基板に電気的に連結されて取り付けられることになる。
【発明の効果】
【００２９】
本願発明に係るコネクタ装置においては、配線板部材に設けられた、例えば、透孔部とされる係止部とそれに係合すべくアクチュエータに設けられた、例えば、突起部とされる係合部とによって、配線板部材差込み部を通じて絶縁ハウジングに差し込まれた配線板部材の絶縁ハウジングからの抜脱を防止する手段が構成されており、アクチュエータが第２の静止位置におかれるとき、絶縁ハウジングに差し込まれた配線板部材に設けられた係止部に係合するアクチュエータにおける係合部が、配線板部材の絶縁ハウジングからの抜脱を阻止する役割を果たす。
【００３０】
そして、アクチュエータが第２の静止位置におかれて、絶縁ハウジングに差し込まれた配線板部材に設けられた係止部に係合したアクチュエータにおける係合部は、アクチュエータについての仮想回転中心軸の位置より絶縁ハウジングの第２の端縁部寄り又は第２の端縁部の外方側となる位置、即ち、仮想回転中心軸の位置を挟んで配線板部材の接続端子部が配された部分とは反対側の位置におかれることになる。そのため、絶縁ハウジングに配線板部材差込み部を通じて配線板部材が差し込まれて、配線板部材に設けられた係止部にアクチュエータに設けられた係合部が係合した状態にあるもとで、配線板部材にそれを絶縁ハウジングから抜脱させる方向の外力、即ち、配線板部材の抜脱方向の外力が作用し、その外力が、配線板部材に設けられた係止部を介してアクチュエータに設けられた係合部に伝えられるとき、当該外力は、係合部を介してアクチュエータに、配線板部材に向かう方向に仮想回転中心軸の周りを回動させようとする力を作用させる。それゆえ、配線板部材に設けられた係止部を介してアクチュエータに設けられた係合部に伝えられる配線板部材の抜脱方向の外力が比較的大とされる場合にも、アクチュエータに配線板部材に向かう方向に仮想回転中心軸の周りを回動させようとする比較的大なる力が作用して、アクチュエータに設けられた係合部の配線板部材に設けられた係止部に対する係合が強められて、配線板部材の絶縁ハウジングからの抜脱の阻止が強固に行われる。従って、配線板部材に設けられた係止部とそれに係合するアクチュエータに設けられた係合部とによって、絶縁ハウジングに差し込まれた配線板部材の絶縁ハウジングからの抜脱防止が確実に行われることになる。
【００３１】
特に、本願発明のうちの請求項７から請求項１２までのいずれかに記載された発明に係るコネクタ装置においては、配線板部材差込み部を通じて絶縁ハウジングに差し込まれた配線板部材に作用する、それを絶縁ハウジングから抜脱させる方向の外力に対する耐性の向上が図られて、配線板部材の絶縁ハウジングからの抜脱防止がより一層確実に行われることになる。
【００３２】
そして、本願発明に係るコネクタ装置は、上述のような絶縁ハウジングに差し込まれた配線板部材の絶縁ハウジングからの抜脱の確実な防止を、配線板部材に設けられた、例えば、透孔部とされる係止部に係合する、例えば、突起部とされる係合部を、アクチュエータにおける仮想回転中心軸の位置より絶縁ハウジングの第２の端縁部寄り又は第２の端縁部の外方側となる位置に設けることにより果たすことができるので、構成を比較的簡単にすることができ、かつ、全体の小型・薄型化を図ることができる。
【００３３】
即ち、本願発明に係るコネクタ装置によれば、比較的簡単で小型・薄型化に適した構成をもって、配線板部材差込み部を通じて絶縁ハウジングに差し込まれた配線板部材の絶縁ハウジングからの抜脱を確実に防止することができるのである。
【図面の簡単な説明】
【００３４】
【図１】本願発明に係るコネクタ装置の第１の例をそれに差し込まれる配線板部材とされるフレキシブル印刷配線基板の部分と共に示す斜視図である。
【図２】本願発明に係るコネクタ装置の第１の例をそれに差し込まれる配線板部材とされるフレキシブル印刷配線基板の部分と共に示す平面図である。
【図３】図２における III−III 線断面を示す断面図である。
【図４】図２におけるIV−IV線断面を示す断面図である。
【図５】本願発明に係るコネクタ装置の第１の例に配線板部材とされるフレキシブル印刷配線基板が差し込まれた状態を示す斜視図である。
【図６】本願発明に係るコネクタ装置の第１の例に配線板部材とされるフレキシブル印刷配線基板が差し込まれてアクチュエータが回動せしめられた状態を示す一部切除斜視図である。
【図７】本願発明に係るコネクタ装置の第１の例に配線板部材とされるフレキシブル印刷配線基板が差し込まれてアクチュエータが回動せしめられた状態を示す断面図である。
【図８】本願発明に係るコネクタ装置の第２の例に配線板部材とされるフレキシブル印刷配線基板が差し込まれた状態を示す斜視図である。
【図９】本願発明に係るコネクタ装置の第２の例に配線板部材とされるフレキシブル印刷配線基板が差し込まれてアクチュエータが回動せしめられた状態を示す一部切除斜視図である。
【図１０】本願発明に係るコネクタ装置の第３の例に配線板部材とされるフレキシブル印刷配線基板が差し込まれた状態を示す斜視図である。
【図１１】本願発明に係るコネクタ装置の第３の例に配線板部材とされるフレキシブル印刷配線基板が差し込まれてアクチュエータが回動せしめられた状態を示す一部切除斜視図である。
【発明を実施するための形態】
【００３５】
本願発明を実施するための形態は、以下に述べられる本願発明についての実施例をもって説明される。
【実施例１】
【００３６】
図１（斜視図）及び図２（平面図）は、本願発明に係るコネクタ装置の第１の例を、それに差し込まれる配線板部材とされるフレキシブル印刷配線基板の部分と共に示す。
【００３７】
図１及び図２において、本願発明に係るコネクタ装置の第１の例を成すコネクタ装置１０は、合成樹脂等の絶縁材料によって形成された絶縁ハウジング１１を備えている。コネクタ装置１０が実際の使用に供されるときには、絶縁ハウジング１１を含むコネクタ装置１０の全体が、例えば、電子機器の主配線基板（図示が省略されている。）に固定される。
【００３８】
絶縁ハウジング１１には、その第１の端縁部に配線板部材差込み部１２が設けられている。この絶縁ハウジング１１には、例えば、フレキシブル印刷配線基板１３の一端部が、配線板部材を成すものとして、配線板部材差込み部１２を通じて、その内部に差し込まれる。
【００３９】
配線板部材差込み部１２を通じて絶縁ハウジング１１内に差し込まれるフレキシブル印刷配線基板１３の一端部には、各々が短冊形を成すものとされた導電性材料で成る複数の接続端子部１４が、配列配置されて設けられている。これらの複数の接続端子部１４の夫々は、図示が省略された、フレキシブル印刷配線基板１３に設けられた印刷配線部に連結されている。
【００４０】
また、フレキシブル印刷配線基板１３の一端部における、配列配置された複数の接続端子部１４を挟んで対向する一対の側端部分が、複数の接続端子部１４の外方に突出していて、フレキシブル印刷配線基板１３の先端部分１５及び１６を形成している。そして、先端部分１５及び１６には、矩形状の透孔部とされた係止部１７及び１８が夫々設けられている。これらの係止部１７及び１８の夫々は、矩形状の透孔部とされるものに限られることなく、係止機能を果たす種々の形態をとることができる。
【００４１】
コネクタ装置１０の絶縁ハウジング１１内には、複数のコンタクト２０が、絶縁ハウジング１１の長手方向に沿って配列配置されている。これらの配列配置された複数のコンタクト２０は、各々が、絶縁ハウジング１１に対するフレキシブル印刷配線基板１３の一端部の差込み及び抜出し方向に沿う方向に伸びるものとされ、端部が絶縁ハウジング１１の第１の端縁部に対向する第２の端縁部に達するものとされている。そして、複数のコンタクト２０は、フレキシブル印刷配線基板１３の一端部が配線板部材差込み部１２を通じて絶縁ハウジング１１内に差し込まれるとき、差し込まれたフレキシブル印刷配線基板１３の一端部に配列配置された複数の接続端子部１４に夫々対応する位置をとるものとされる。
【００４２】
複数のコンタクト２０の夫々は、図２における III−III 線断面をあらわす図３に示されるように、弾性を有した導電性材料で形成されて、全体的にエ字状とされた板状体を成すものとされている。そして、斯かる複数のコンタクト２０の夫々は、絶縁ハウジング１１に固定される固定ビーム部２１と、絶縁ハウジング１１内において変位可能とされた可動ビーム部２２と、固定ビーム部２１と可動ビーム部２２とを連結して可動ビーム部２２を支える連結支柱部２３とを有している。
【００４３】
コンタクト２０の固定ビーム部２１は、その一端部２１ａが、配線板部材差込み部１２に臨む位置に配され、また、その他端部２１ｂ（絶縁ハウジング１１の第１の端縁部に対向する第２の端縁部に達する端部）が、その一部が絶縁ハウジング１１に噛み合うとともに、連結端子部を形成しているものとされる。この固定ビーム部２１の端部２１ｂが形成する連結端子部は、例えば、コネクタ装置１０が固定された主配線基板に設けられた配線部に連結される。
【００４４】
コンタクト２０の可動ビーム部２２は、その一端部２２ａが、絶縁ハウジング１１内に差し込まれたフレキシブル印刷配線基板１３の一端部における接続端子部１４に押圧接触する接触部を形成し、また、その他端部２２ｂが、後述されるアクチュエータ３０に設けられたカム部３１からの押圧力を受ける受圧部を形成するものとされている。可動ビーム部２２の端部２２ａが形成する接触部は、固定ビーム部２１の端部２１ａに対向するものとして配線板部材差込み部１２に臨む位置に配され、また、可動ビーム部２２の端部２２ｂが形成する受圧部は、固定ビーム部２１の端部２１ｂに対向する位置に配される。
【００４５】
コンタクト２０の連結支柱部２３は、可動ビーム部２２における端部２２ａが形成する接触部と端部２２ｂが形成する受圧部との間の部分を固定ビーム部２１の端部２１ａと端部２１ｂとの間の部分に連結して、可動ビーム部２２を支えている。そして、連結支柱部２３における固定ビーム部２１の端部２１ａが形成する接触部側（可動ビーム部２２の端部２２ａ側）の側縁部２３ａが、部分的に固定ビーム部２１に対して実質的に直立しているとともに、連結支柱部２３における可動ビーム部２２の端部２２ｂが形成する受圧部側（固定ビーム部２１の端部２１ｂ側）の側縁部２３ｂが、部分的に連結支柱部２３の固定ビーム部２１との接続部分から連結支柱部２３の可動ビーム部２２との接続部分に向かって傾斜している。
【００４６】
このような連結支柱部２３は、可動ビーム部２２を安定に支持するに十分な剛性を備えたものとされていて、可動ビーム部２２の端部２２ｂが形成する受圧部が後述されるアクチュエータ３０に設けられたカム部３１からの押圧力を受けるとき、あるいは、可動ビーム部２２の端部２２ｂが形成する受圧部が後述されるアクチュエータ３０に設けられたカム部３１からの押圧力を受けなくなるとき、可動ビーム部２２が、コンタクト２０における連結支柱部２３の可動ビーム部２２との接続部分を支点として、揺動変位するものとされる。
【００４７】
また、コネクタ装置１０は、絶縁ハウジング１１に対して回動可能とされたアクチュエータ３０を備えている。アクチュエータ３０は、絶縁ハウジング１１内における複数のコンタクト２０の配列方向に沿って伸びる細長い形状をしていて、その長手方向を絶縁ハウジング１１の長手方向と同方向としており、複数のコンタクト２０の配列方向に伸びる仮想回転中心軸３３（図２，図３）を伴っている。そして、アクチュエータ３０は、図１〜図３に示されるような、絶縁ハウジング１１に対して起き上がった位置となる第１の静止位置と、後述される図６及び図７に示されるような、絶縁ハウジング１１に対して伏した位置となる第２の静止位置とを選択的にとり、アクチュエータ３０に回動操作が加えられるとき、仮想回転中心軸３３の周りを、絶縁ハウジング１１の配線板部材差込み部１２が設けられた第１の端縁部から第１の端縁部に対向する第２の端縁部に向かう方向に回動して、第１の静止位置から第２の静止位置に移行し、あるいは、仮想回転中心軸３３の周りを、絶縁ハウジング１１の第２の端縁部から第１の端縁部に向かう方向に回動して、第２の静止位置から第１の静止位置に移行する。
【００４８】
アクチュエータ３０には、図３及び図２におけるIV−IV線断面をあらわす図４に示されるような、複数のコンタクト２０に夫々係合する複数のカム部３１が設けられている。複数のカム部３１の各々は、複数のコンタクト２０のうちの対応するものにおける固定ビーム部２１の端部２１ｂと可動ビーム部２２の端部２２ｂとに挟まれていて、アクチュエータ３０の回動に伴って、可動ビーム部２２の端部２２ｂが形成する受圧部に固定ビーム部２１の端部２１ｂから離隔する方向の変位を生じさせる押圧力を作用させる状態と、可動ビーム部２２の端部２２ｂが形成する受圧部に斯かる押圧力を作用させない状態とをとる。
【００４９】
このように、アクチュエータ３０が備える複数のカム部３１は、複数のコンタクト２０に夫々対応しており、複数のコンタクト２０が絶縁ハウジング１１の長手方向に沿って配列配置されていることにより、複数のカム部３１も、アクチュエータ３０にその長手方向に沿って配列配置されて設けられていることになる。
【００５０】
また、アクチュエータ３０には、それにおける複数のコンタクト２０の配列方向において複数のコンタクト２０を挟む一対の側端部３４及び３５に、配線板部材差込み部１２を通じて絶縁ハウジング１１に差し込まれたフレキシブル印刷配線基板１３に設けられた係止部１７及び１８に夫々係合するための、突起部とされた係合部３６及び３７が夫々設けられている。これらの係合部３６及び３７の各々は、突起部とされるものに限られることなく、フレキシブル印刷配線基板１３に設けられた係止部１７あるいは係止部１８との係合機能を果たす種々の形態をとることができる。
【００５１】
アクチュエータ３０に設けられた係合部３６及び３７の夫々は、図３及び図４に示されるようにアクチュエータ３０が第１の静止位置をとるとき、アクチュエータ３０の仮想回転中心軸３３の位置より図３及び図４における上方となる位置におかれる部分に、絶縁ハウジング１１の配線板部材差込み部１２が設けられた第１の端縁部に対向する第２の端縁部の外方に向かう状態をもって設けられている。このようにして係合部３６及び３７が設けられたアクチュエータ３０の部分は、アクチュエータ３０が、図３及び図４に示される第１の静止位置から仮想回転中心軸３３の周りを絶縁ハウジング１１の第１の端縁部から第２の端縁部に向かう方向に回動して、図６及び図７に示される第２の静止位置をとるときには、仮想回転中心軸３３の位置より絶縁ハウジング１１の第２の端縁部寄りとなる位置又は絶縁ハウジング１１の第２の端縁部の外方となる位置におかれる部分となる。
【００５２】
このようなもとで、図１〜図４に示されるように、アクチュエータ３０が第１の静止位置をとる状態にあるとき、図５に示されるように、フレキシブル印刷配線基板１３の一端部が絶縁ハウジング１１に配線板部材差込み部１２を通じて差し込まれる。その際、絶縁ハウジング１１に差し込まれたフレキシブル印刷配線基板１３の一端部は、複数のコンタクト２０の夫々における固定ビーム部２１と可動ビーム部２２との間の位置に配される。また、絶縁ハウジング１１は、配線板部材差込み部１２を通じて差し込まれたフレキシブル印刷配線基板１３に、それにおける一対の先端部分１５及び１６が絶縁ハウジング１１を貫通して、絶縁ハウジング１１の配線板部材差込み部１２が設けられた第１の端縁部に対向する第２の端縁部の外方に露出する状態をとらせる。それにより、フレキシブル印刷配線基板１３における一対の先端部分１５及び１６に夫々設けられた係止部１７及び１８が、アクチュエータ３０の仮想回転中心軸３３の位置より絶縁ハウジング１１の第２の端縁部寄りとなる位置又は絶縁ハウジング１１の第２の端縁部の外方となる位置におかれることになる。
【００５３】
このようにして、絶縁ハウジング１１に配線板部材差込み部１２を通じて差し込まれるフレキシブル印刷配線基板１３の先端部分１５及び１６が、絶縁ハウジング１１を貫通して、絶縁ハウジング１１の第２の端縁部の外方に露出する状態をとるようにされることにより、絶縁ハウジング１１にフレキシブル印刷配線基板１３が適正に差し込まれた状態を容易かつ確実に確認することができる。
【００５４】
続いて、第１の静止位置をとるアクチュエータ３０が、回動操作により、図５に示される第１の静止位置から図６及び図７に示される第２の静止位置に移行すべく、仮想回転中心軸３３の周りを絶縁ハウジング１１の第１の端縁部から第２の端縁部に向かう方向に回動せしめられると、そのアクチュエータ３０の第１の静止位置から第２の静止位置に移行する回動に伴って、アクチュエータ３０に設けられた複数のカム部３１の夫々が、複数のコンタクト２０のうちの対応するものの可動ビーム部２２の端部２２ｂが形成する受圧部に、それを固定ビーム部２１の端部２１ｂから離隔する方向に変位させる押圧力を作用させる。それにより、複数のカム部３１の夫々は、可動ビーム部２２を連結支柱部２３の可動ビーム部２２との接続部分を支点として揺動変位させ、可動ビーム部２２の端部２２ａが形成する接触部を、固定ビーム部２１の端部２１ａに近接する方向に変位させて、絶縁ハウジング１１に差し込まれたフレキシブル印刷配線基板１３の一端部における複数の接続端子部１４のうちの対応するものに押圧接触させる。
【００５５】
これよりして、アクチュエータ３０は、第１の静止位置から第２の静止位置に移行するとき、可動ビーム部２２の端部２２ｂが形成する受圧部に押圧力を作用させて、可動ビーム部２２についての連結支柱部２３の可動ビーム部２２との接続部分を支点とする揺動変位を生じさせ、可動ビーム部２２の端部２２ａが形成する接触部を絶縁ハウジング１１に差し込まれたフレキシブル印刷配線基板１３の一端部における複数の接続端子部１４のうちの対応するものに押圧接触させることになる。それにより、複数のコンタクト２０の夫々が絶縁ハウジング１１に差し込まれたフレキシブル印刷配線基板１３の一端部における複数の接続端子部１４のうちの対応するものに対する押圧接触状態をとるものとされる。その結果、フレキシブル印刷配線基板１３が、コネクタ装置１０を介して、コネクタ装置１０が固定された主配線基板に電気的に連結されて取り付けられることになる。
【００５６】
また、このとき、第１の静止位置から仮想回転中心軸３３の周りを絶縁ハウジング１１の第１の端縁部から第２の端縁部に向かう方向に回動して図６及び図７に示されるように第２の静止位置をとるものとされたアクチュエータ３０は、それに設けられた係合部３６及び３７を、絶縁ハウジング１１に差し込まれたフレキシブル印刷配線基板１３における一対の先端部分１５及び１６に設けられた係止部１７及び１８に夫々係合させる。図６には、アクチュエータ３０に設けられた係合部３６がフレキシブル印刷配線基板１３における先端部分１５に設けられた係止部１７に係合した状態が示されており、また、図７には、アクチュエータ３０に設けられた係合部３７がフレキシブル印刷配線基板１３における先端部分１６に設けられた係止部１８に係合するとともに、アクチュエータ３０に設けられた係合部３６がフレキシブル印刷配線基板１３における先端部分１５に設けられた係止部１７に係合した状態が示されている。
【００５７】
このとき、係合部３６及びそれが係合した係止部１７は、アクチュエータ３０の仮想回転中心軸３３の位置より絶縁ハウジング１１の第２の端縁部寄りとなる位置又は絶縁ハウジング１１の第２の端縁部の外方となる位置におかれ、また、係合部３７及びそれが係合した係止部１８も、アクチュエータ３０の仮想回転中心軸３３の位置より絶縁ハウジング１１の第２の端縁部寄りとなる位置又は絶縁ハウジング１１の第２の端縁部の外方となる位置におかれる。
【００５８】
さらに、絶縁ハウジング１１は、図６及び図７において下方に配される底面部が、図示が省略された、例えば、電子機器の主配線基板上に配されて、その主配線基板に固定されるが、上述のようにして、アクチュエータ３０に設けられた係合部３６及び３７が、フレキシブル印刷配線基板１３における先端部分１５及び１６に設けられた係止部１７及び１８に夫々係合した状態におかれるときには、図３，図４及び図７に示されるアクチュエータ３０の仮想回転中心軸３３と係合部３６及び３７の各々との位置関係から明らかなように、係合部３６及びそれが係合した係止部１７が、アクチュエータ３０の仮想回転中心軸３３の位置より主配線基板側（絶縁ハウジング１１の底面部側）の位置におかれ、また、係合部３７及びそれが係合した係止部１８も、アクチュエータ３０の仮想回転中心軸３３の位置より主配線基板側（絶縁ハウジング１１の底面部側）の位置におかれる。
【００５９】
このようにして、アクチュエータ３０に設けられた係合部３６及び３７は、フレキシブル印刷配線基板１３における先端部分１５及び１６に設けられた係止部１７及び１８に夫々係合し、それにより絶縁ハウジング１１に差し込まれたフレキシブル印刷配線基板１３の絶縁ハウジング１１からの抜脱を阻止する役割を果たす。
【００６０】
その際、上述のように、係合部３６及びそれが係合した係止部１７が、アクチュエータ３０の仮想回転中心軸３３の位置より絶縁ハウジング１１の第２の端縁部寄りとなる位置又は絶縁ハウジング１１の第２の端縁部の外方となる位置におかれ、また、係合部３７及びそれが係合した係止部１８も、アクチュエータ３０の仮想回転中心軸３３の位置より絶縁ハウジング１１の第２の端縁部寄りとなる位置又は絶縁ハウジング１１の第２の端縁部の外方となる位置におかれることにより、絶縁ハウジング１１に差し込まれたフレキシブル印刷配線基板１３にそれを絶縁ハウジング１１から抜脱させる方向の外力、即ち、絶縁ハウジング１１の抜脱方向の外力が作用し、その外力が、絶縁ハウジング１１に設けられた係止部１７及び１８を介してアクチュエータ３０に設けられた係合部３６及び３７に伝えられるとき、当該外力は、係合部３６及び３７を介してアクチュエータ３０に、それをフレキシブル印刷配線基板１３に向かう方向に仮想回転中心軸３３の周りを回動させようとする力を作用させる。
【００６１】
それゆえ、係止部１７及び１８を介して係合部３６及び３７に伝えられるフレキシブル印刷配線基板１３の抜脱方向の外力が比較的大とされる場合にも、アクチュエータ３０に、それをフレキシブル印刷配線基板１３に向かう方向に仮想回転中心軸３３の周りを回動させようとする比較的大なる力が作用して、係合部３６及び３７の係止部１７及び１８に対する係合が強められて、フレキシブル印刷配線基板１３の絶縁ハウジング１１からの抜脱の阻止が強固に行われる。従って、係止部１７及び１８とそれらに夫々係合する係合部３６及び３７とによって、絶縁ハウジング１１に差し込まれたフレキシブル印刷配線基板１３の絶縁ハウジング１１からの抜脱防止が確実に行われることになる。
【００６２】
さらに、前述のように、係合部３６及びそれが係合した係止部１７が、アクチュエータ３０の仮想回転中心軸３３の位置より絶縁ハウジング１１が固定される主配線基板側（絶縁ハウジング１１の底面部側）の位置におかれ、また、係合部３７及びそれが係合した係止部１８も、アクチュエータ３０の仮想回転中心軸３３の位置より主配線基板側（絶縁ハウジング１１の底面部側）の位置におかれることによっても、絶縁ハウジング１１に差し込まれたフレキシブル印刷配線基板１３にそれを絶縁ハウジング１１から抜脱させる方向の外力、即ち、絶縁ハウジング１１の抜脱方向の外力が作用し、その外力が、絶縁ハウジング１１に設けられた係止部１７及１８を介してアクチュエータ３０に設けられた係合部３６及び３７に伝えられるとき、当該外力が、係合部３６及び３７を介してアクチュエータ３０に、それをフレキシブル印刷配線基板１３に向かう方向に仮想回転中心軸３３の周りを回動させようとする力を作用させる状態が得られる。
【００６３】
それゆえ、係止部１７及び１８を介して係合部３６及び３７に伝えられるフレキシブル印刷配線基板１３の抜脱方向の外力が比較的大とされる場合には、アクチュエータ３０に、それをフレキシブル印刷配線基板１３に向かう方向に仮想回転中心軸３３の周りを回動させようとする比較的大なる力が作用して、係合部３６及び３７の係止部１７及び１８に対する係合がより一層強められて、フレキシブル印刷配線基板１３の絶縁ハウジング１１からの抜脱の阻止がより一層強固に行われる。その結果、係止部１７及び１８とそれらに夫々係合する係合部３６及び３７とによる、絶縁ハウジング１１に差し込まれたフレキシブル印刷配線基板１３の絶縁ハウジング１１からの抜脱防止が、さらに確実に行われることになる。
【００６４】
しかも、上述のような絶縁ハウジング１１に差し込まれたフレキシブル印刷配線基板１３の絶縁ハウジング１１からの抜脱の確実な防止が、フレキシブル印刷配線基板１３に設けられた、例えば、透孔部とされる係止部１７及び１８に夫々係合する、例えば、突起部とされる係合部３６及び３７を、アクチュエータ３０における仮想回転中心軸３３の位置より絶縁ハウジング１１の第２の端縁部寄り又は第２の端縁部の外方側となる位置に設けることにより果たされるので、全体の構成が比較的簡単なものとされ、かつ、全体の小型・薄型化を図ることが可能とされる。
【００６５】
即ち、コネクタ装置１０によれば、比較的簡単で小型・薄型化に適した構成をもって、配線板部材差込み部１２を通じて絶縁ハウジング１１に差し込まれたフレキシブル印刷配線基板１３の絶縁ハウジング１１からの抜脱を確実に防止することができることになる。
【実施例２】
【００６６】
図８及び図９は、本願発明に係るコネクタ装置の第２の例を、それに差し込まれた配線板部材とされるフレキシブル印刷配線基板の部分と共に示す。
【００６７】
図８及び図９において、本願発明に係るコネクタ装置の第２の例を成すコネクタ装置４０は、合成樹脂等の絶縁材料によって形成された絶縁ハウジング４１を備えている。コネクタ装置４０も、実際の使用に供されるときには、絶縁ハウジング４１を含むコネクタ装置４０の全体が、例えば、電子機器の主配線基板（図示が省略されている。）に固定される。
【００６８】
絶縁ハウジング４１には、その第１の端縁部４２に配線板部材差込み部４３が設けられている。この絶縁ハウジング４１には、例えば、フレキシブル印刷配線基板１３の一端部が、配線板部材を成すものとして、配線板部材差込み部４３を通じて、その内部に差し込まれる。
【００６９】
フレキシブル印刷配線基板１３は、図１，図２及び図５等に示される前述のフレキシブル印刷配線基板１３と同じものである。従って、フレキシブル印刷配線基板１３にあっては、配列配置された複数の接続端子部１４が設けられており、また、複数の接続端子部１４を挟んで対向する一対の側端部分が先端部分１５及び１６を形成していて、先端部分１５及び１６には係止部１７及び１８が夫々設けられている。フレキシブル印刷配線基板１３についての他の重複説明は省略される。
【００７０】
コネクタ装置４０の絶縁ハウジング４１内には、各々が図３及び図５等に示される前述のコンタクト２０と同様に形成された複数のコンタクト４５が、絶縁ハウジング４１の長手方向に沿って配列配置されている。これらの配列配置された複数のコンタクト４５は、各々が、絶縁ハウジング４１に対するフレキシブル印刷配線基板１３の一端部の差込み及び抜出し方向に沿う方向に伸びるものとされ、端部が絶縁ハウジング４１の第１の端縁部４２に対向する第２の端縁部４４に達するものとされている。これらの複数のコンタクト４５は、フレキシブル印刷配線基板１３の一端部が配線板部材差込み部４３を通じて絶縁ハウジング４１内に差し込まれるとき、差し込まれたフレキシブル印刷配線基板１３の一端部に配列配置された複数の接続端子部１４に夫々対応する位置をとるものとされる。
【００７１】
複数のコンタクト４５の夫々は、図３に示されるコンタクト２０と同様に形成されたものとされ、各部の構成，役割及び作用は、コンタクト２０のそれらと同様であるので、それらについての詳細説明は省略される。
【００７２】
また、コネクタ装置４０は、絶縁ハウジング４１に対して回動可能とされたアクチュエータ５０を備えている。アクチュエータ５０は、絶縁ハウジング４１内における複数のコンタクト４５の配列方向に沿って伸びる細長い形状をしていて、その長手方向を絶縁ハウジング４１の長手方向と同方向としている。このアクチュエータ５０は、図２及び図３に示されるコネクタ装置１０におけるアクチュエータ３０の場合と同様に、アクチュエータ３０が伴う仮想回転中心軸３３に相当する、複数のコンタクト４５の配列方向に伸びる仮想回転中心軸を伴っている。
【００７３】
そして、アクチュエータ５０は、図８に示されるような、絶縁ハウジング４１に対して起き上がった位置となる第１の静止位置と、図９に示されるような、絶縁ハウジング４１に対して伏した位置となる第２の静止位置とを選択的にとり、アクチュエータ５０に回動操作が加えられるとき、仮想回転中心軸の周りを、絶縁ハウジング４１の配線板部材差込み部４３が設けられた第１の端縁部４２から第１の端縁部４２に対向する第２の端縁部４４に向かう方向に回動して、第１の静止位置から第２の静止位置に移行し、あるいは、仮想回転中心軸の周りを、絶縁ハウジング４１の第２の端縁部４４から第１の端縁部４２に向かう方向に回動して、第２の静止位置から第１の静止位置に移行する。
【００７４】
アクチュエータ５０には、図３及び図４に示されるコネクタ装置１０におけるアクチュエータ３０の場合と同様に、アクチュエータ３０に設けられている複数のカム部３１に相当する複数のカム部が設けられている。これらの複数のカム部は、複数のコンタクト４５に夫々対応していて、複数のコンタクト４５が絶縁ハウジング４１の長手方向に沿って配列配置されていることにより、アクチュエータ５０にその長手方向に沿って配列配置されて設けられており、各々の役割及び作用は、前述のアクチュエータ３０に設けられている複数のカム部３１の夫々の役割及び作用と同様である。
【００７５】
また、アクチュエータ５０には、それにおける複数のコンタクト４５の配列方向において複数のコンタクト４５を挟む一対の側端部５４及び５５に、配線板部材差込み部４３を通じて絶縁ハウジング４１に差し込まれたフレキシブル印刷配線基板１３に設けられた係止部１７及び１８に夫々係合するための、突起部とされた係合部５６及び５７が夫々設けられている。そして、図８に示される係合部５６にフレキシブル印刷配線基板１３に設けられた係止部１７を挟んで対向する位置において、絶縁ハウジング４１の第２の端縁部４４に隆起部４６が設けられており、また、図８に示される係合部５７にフレキシブル印刷配線基板１３に設けられた係止部１８を挟んで対向する位置において、絶縁ハウジング４１の第２の端縁部４４に隆起部４７が設けられている。
【００７６】
アクチュエータ５０に設けられた係合部５６及び５７の夫々は、図８に示されるようにアクチュエータ５０が第１の静止位置をとるとき、アクチュエータ５０の仮想回転中心軸の位置より図８における上方となる位置におかれる部分に、絶縁ハウジング４１の第２の端縁部４４の外方に向かう状態をもって設けられている。このようにして係合部５６及び５７が設けられたアクチュエータ５０の部分は、アクチュエータ５０が、図８に示される第１の静止位置から、仮想回転中心軸の周りを絶縁ハウジング４１の第１の端縁部４２から第２の端縁部４４に向かう方向に回動して、図８に示される第２の静止位置をとるときには、仮想回転中心軸の位置より絶縁ハウジング４１の第２の端縁部４４寄りとなる位置又は絶縁ハウジング４１の第２の端縁部４４の外方となる位置におかれる部分となる。
【００７７】
このようなもとで、図８に示されるように、アクチュエータ５０が第１の静止位置をとる状態にあるとき、フレキシブル印刷配線基板１３の一端部が絶縁ハウジング４１に配線板部材差込み部４３を通じて差し込まれる。その際、絶縁ハウジング４１に差し込まれたフレキシブル印刷配線基板１３の一端部は、複数のコンタクト４５の夫々における固定ビーム部と可動ビーム部との間の位置に配される。また、絶縁ハウジング４１は、配線板部材差込み部４３を通じて差し込まれたフレキシブル印刷配線基板１３に、それにおける一対の先端部分１５及び１６が絶縁ハウジング４１を貫通して、絶縁ハウジング４１の第２の端縁部４４の外方に露出する状態をとらせる。それにより、フレキシブル印刷配線基板１３における一対の先端部分１５及び１６に夫々設けられた係止部１７及び１８が、アクチュエータ５０の仮想回転中心軸の位置より絶縁ハウジング４１の第２の端縁部４４寄りとなる位置又は絶縁ハウジング４１の第２の端縁部４４の外方となる位置におかれることになる。
【００７８】
続いて、第１の静止位置をとるアクチュエータ５０が、回動操作により、図８に示される第１の静止位置から図９に示される第２の静止位置に移行すべく、仮想回転中心軸の周りを絶縁ハウジング４１の第１の端縁部４２から第２の端縁部４４に向かう方向に回動せしめられると、そのアクチュエータ５０の第１の静止位置から第２の静止位置に移行する回動に伴って、アクチュエータ５０に設けられた複数のカム部の夫々が、複数のコンタクト４５のうちの対応するものの可動ビーム部の一端部が形成する受圧部に、それを固定ビーム部の一端部から離隔する方向に変位させる押圧力を作用させる。それにより、複数のコンタクト４５の夫々は、可動ビーム部を連結支柱部の可動ビーム部との接続部分を支点として揺動変位させ、可動ビーム部の他端部が形成する接触部を、固定ビーム部の他端部に近接する方向に変位させて、絶縁ハウジング４１に差し込まれたフレキシブル印刷配線基板１３の一端部における複数の接続端子部１４のうちの対応するものに押圧接触させる。
【００７９】
これよりして、アクチュエータ５０は、第１の静止位置から第２の静止位置に移行するとき、可動ビーム部の一端部が形成する受圧部に押圧力を作用させて、可動ビーム部についての連結支柱部の可動ビーム部との接続部分を支点とする揺動変位を生じさせ、可動ビーム部の他端部が形成する接触部を絶縁ハウジング４１に差し込まれたフレキシブル印刷配線基板１３の一端部における複数の接続端子部１４のうちの対応するものに押圧接触させることになる。それにより、複数のコンタクト４５の夫々が絶縁ハウジング４１に差し込まれたフレキシブル印刷配線基板１３の一端部における複数の接続端子部１４のうちの対応するものに対する押圧接触状態をとるものとされる。その結果、フレキシブル印刷配線基板１３が、コネクタ装置５０を介して、コネクタ装置５０が固定された主配線基板に電気的に連結されて取り付けられることになる。
【００８０】
また、このとき、第１の静止位置から仮想回転中心軸の周りを絶縁ハウジング４１の第１の端縁部４２から第２の端縁部４４に向かう方向に回動して図９に示されるように第２の静止位置をとるものとされたアクチュエータ５０は、それに設けられた係合部５６及び５７を、絶縁ハウジング４１に差し込まれたフレキシブル印刷配線基板１３における一対の先端部分１５及び１６に設けられた係止部１７及び１８に夫々係合させる。斯かる係合部５６の係止部１７との係合及び係合部５７の係止部１８との係合は、係合部５６及び５７が係止部１７及び１８を夫々貫通することにより行われる。
【００８１】
その際、係止部１７に係合した係合部５６は、さらに、その先端部５６ａをもって、絶縁ハウジング４１の第２の端縁部４４に係合する。斯かる係合部５６の先端部５６ａの絶縁ハウジング４１の第２の端縁部４４との係合は、係合部５６の先端部５６ａを絶縁ハウジング４１の第２の端縁部４４に設けられた隆起部４６に当接させることにより行われる。また、係止部１８に係合した係合部５７は、さらに、その先端部５７ａをもって、絶縁ハウジング４１の第２の端縁部４４に係合する。斯かる係合部５７の先端部５７ａの絶縁ハウジング４１の第２の端縁部４４との係合は、係合部５７の先端部５７ａを絶縁ハウジング４１の第２の端縁部４４に設けられた隆起部４７に当接させることにより行われる。
【００８２】
図９には、アクチュエータ５０に設けられた係合部５６が、フレキシブル印刷配線基板１３における先端部分１５に設けられた係止部１７に係合し、さらに、その先端部５６ａを、絶縁ハウジング４１の第２の端縁部４４に設けられた隆起部４６に当接させた状態が示されている。アクチュエータ５０に設けられた係合部５７も、図示されていないが、係合部５６と同様にして、フレキシブル印刷配線基板１３における先端部分１６に設けられた係止部１８に係合し、さらに、その先端部５７ａを、絶縁ハウジング４１の第２の端縁部４４に設けられた隆起部４７に当接させる。
【００８３】
このとき、係合部５６及びそれが係合した係止部１７は、アクチュエータ５０の仮想回転中心軸の位置より絶縁ハウジング４１の第２の端縁部４４寄りとなる位置又は絶縁ハウジング４１の第２の端縁部４４の外方となる位置におかれ、また、係合部５７及びそれが係合した係止部１８も、アクチュエータ５０の仮想回転中心軸の位置より絶縁ハウジング４１の第２の端縁部４４寄りとなる位置又は絶縁ハウジング４１の第２の端縁部４４の外方となる位置におかれる。
【００８４】
さらに、絶縁ハウジング４１は、図９に示されるコネクタ装置４０の下方に配される底面部が、図示が省略された、例えば、電子機器の主配線基板上に配されて、その主配線基板に固定されるが、上述のようにして、アクチュエータ５０に設けられた係合部５６及び５７が、フレキシブル印刷配線基板１３における先端部分１５及び１６に設けられた係止部１７及び１８に夫々係合した状態におかれるときには、係合部５６及びそれが係合した係止部１７が、アクチュエータ５０の仮想回転中心軸の位置より主配線基板側（絶縁ハウジング４１の底面部側）の位置におかれ、また、係合部５７及びそれが係合した係止部１８も、アクチュエータ５０の仮想回転中心軸の位置より主配線基板側（絶縁ハウジング１１の底面部側）の位置におかれる。
【００８５】
このようにして、アクチュエータ５０に設けられた係合部５６及び５７は、フレキシブル印刷配線基板１３における先端部分１５及び１６に設けられた係止部１７及び１８に夫々係合するとともに、夫々の先端部５６ａ及び５７ａをもって、絶縁ハウジング４１の第２の端縁部４４に係合し、それにより絶縁ハウジング４１に差し込まれたフレキシブル印刷配線基板１３の絶縁ハウジング４１からの抜脱を阻止する役割を果たす。
【００８６】
その際、上述のように、係合部５６及びそれが係合した係止部１７が、アクチュエータ５０の仮想回転中心軸の位置より絶縁ハウジング４１の第２の端縁部４４寄りとなる位置又は絶縁ハウジング４１の第２の端縁部４４の外方となる位置におかれ、また、係合部５７及びそれが係合した係止部１８も、アクチュエータ５０の仮想回転中心軸の位置より絶縁ハウジング４１の第２の端縁部４４寄りとなる位置又は絶縁ハウジング４１の第２の端縁部４４の外方となる位置におかれることにより、絶縁ハウジング４１に差し込まれたフレキシブル印刷配線基板１３にそれを絶縁ハウジング４１から抜脱させる方向の外力、即ち、絶縁ハウジング４１の抜脱方向の外力が作用し、その外力が、係止部１７及び１８を介して係合部５６及び５７に伝えられるとき、当該外力は、係合部５６及び５７を介してアクチュエータ５０に、それをフレキシブル印刷配線基板１３に向かう方向に仮想回転中心軸の周りを回動させようとする力を作用させる。
【００８７】
それゆえ、係止部１７及び１８を介して係合部５６及び５７に伝えられるフレキシブル印刷配線基板１３の抜脱方向の外力が比較的大とされる場合にも、アクチュエータ５０に、それをフレキシブル印刷配線基板１３に向かう方向に仮想回転中心軸の周りを回動させようとする比較的大なる力が作用して、係合部５６及び５７の係止部１７及び１８に対する係合が強められて、フレキシブル印刷配線基板１３の絶縁ハウジング４１からの抜脱の阻止が強固に行われる。
【００８８】
さらに、アクチュエータ５０に設けられた係合部５６及び５７が、フレキシブル印刷配線基板１３における先端部分１５及び１６に設けられた係止部１７及び１８に夫々係合するだけでなく、夫々の先端部５６ａ及び５７ａをもって、絶縁ハウジング４１の第２の端縁部４４にも係合することにより、絶縁ハウジング４１に差し込まれたフレキシブル印刷配線基板１３にそれを絶縁ハウジング４１から抜脱させる方向の外力、即ち、絶縁ハウジング４１の抜脱方向の外力が作用するとき、その外力が、係止部１７及び係合部５６を介して、さらには、係止部１８及び係合部５７を介して、絶縁ハウジング４１の第２の端縁部４４に伝達され、絶縁ハウジング４１により吸収されることになる。それゆえ、係合部５６及び５７が設けられたアクチュエータ５０についての、外力に対する耐性の向上が図られ、フレキシブル印刷配線基板１３の絶縁ハウジング４１からの抜脱の阻止がより一層強固に行われる。
【００８９】
従って、係止部１７及び１８とそれらに夫々係合する係合部５６及び５７とによって、絶縁ハウジング４１に差し込まれたフレキシブル印刷配線基板１３の絶縁ハウジング４１からの抜脱防止が確実に行われることになる。
【００９０】
さらに、前述のように、係合部５６及びそれが係合した係止部１７が、アクチュエータ５０の仮想回転中心軸の位置より絶縁ハウジング４１が固定される主配線基板側（絶縁ハウジング１１の底面部側）の位置におかれ、また、係合部５７及びそれが係合した係止部１８も、アクチュエータ５０の仮想回転中心軸の位置より主配線基板側（絶縁ハウジング１１の底面部側）の位置におかれることによっても、絶縁ハウジング４１に差し込まれたフレキシブル印刷配線基板１３にそれを絶縁ハウジング４１から抜脱させる方向の外力、即ち、絶縁ハウジング４１の抜脱方向の外力が作用し、その外力が、絶縁ハウジング４１に設けられた係止部１７及１８を介してアクチュエータ５０に設けられた係合部５６及び５７に伝えられるとき、当該外力が、係合部５６及び５７を介してアクチュエータ５０に、それをフレキシブル印刷配線基板１３に向かう方向に仮想回転中心軸の周りを回動させようとする力を作用させる状態が得られる。
【００９１】
それゆえ、係止部１７及び１８を介して係合部５６及び５７に伝えられるフレキシブル印刷配線基板１３の抜脱方向の外力が比較的大とされる場合には、アクチュエータ５０に、それをフレキシブル印刷配線基板１３に向かう方向に仮想回転中心軸の周りを回動させようとする比較的大なる力が作用して、係合部５６及び５７の係止部１７及び１８に対する係合がより一層強められて、フレキシブル印刷配線基板１３の絶縁ハウジング４１からの抜脱の阻止が更に強固に行われる。その結果、係止部１７及び１８とそれらに夫々係合する係合部５６及び５７とによる、絶縁ハウジング４１に差し込まれたフレキシブル印刷配線基板１３の絶縁ハウジング４１からの抜脱防止が、さらに確実に行われることになる。
【００９２】
しかも、上述のような絶縁ハウジング４１に差し込まれたフレキシブル印刷配線基板１３の絶縁ハウジング４１からの抜脱の確実な防止が、フレキシブル印刷配線基板１３に設けられた、例えば、透孔部とされる係止部１７及び１８に夫々係合する、例えば、突起部とされる係合部５６及び５７を、アクチュエータ５０における仮想回転中心軸の位置より絶縁ハウジング４１の第２の端縁部４４寄り又は第２の端縁部４４の外方側となる位置に設けることにより果たされるので、全体の構成が比較的簡単なものとされ、かつ、全体の小型・薄型化を図ることが可能とされる。
【００９３】
即ち、コネクタ装置４０によっても、比較的簡単で小型・薄型化に適した構成をもって、配線板部材差込み部４３を通じて絶縁ハウジング４１に差し込まれたフレキシブル印刷配線基板１３の絶縁ハウジング４１からの抜脱を確実に防止することができることになる。
【実施例３】
【００９４】
図１０及び図１１は、本願発明に係るコネクタ装置の第３の例を、それに差し込まれた配線板部材とされるフレキシブル印刷配線基板の部分と共に示す。
【００９５】
図１０及び図１１には、本願発明に係るコネクタ装置の第３の例を成すコネクタ装置６０が示されている。この第３の例を成すコネクタ装置６０は、上述の図８及び図９に示される本願発明に係るコネクタ装置の第２の例を成すコネクタ装置４０と同様に構成された部分を多々有していて、図１０及び図１１においては、第２の例を成すコネクタ装置４０と同様に構成された部分が、図８及び図９と共通の符号が付されて示されており、それらについての重複説明は省略される。第３の例を成すコネクタ装置６０における、第２の例を成すコネクタ装置４０との相違点は、アクチュエータ５０における一対の側端部５４及び５５の夫々における構成にある。
【００９６】
図１０及び図１１において、コネクタ装置６０が備える絶縁ハウジング４１には、その第１の端縁部４２に設けられた配線板部材差込み部４３を通じて、例えば、フレキシブル印刷配線基板１３の一端部が、配線板部材を成すものとして、その内部に差し込まれる。フレキシブル印刷配線基板１３は、図１，図２及び図５等に示される前述のフレキシブル印刷配線基板１３と同じものである。
【００９７】
また、コネクタ装置６０が備えるアクチュエータ５０には、それにおける複数のコンタクト４５の配列方向において複数のコンタクト４５を挟む一対の側端部５４及び５５のうちの側端部５４に、配線板部材差込み部４３を通じて絶縁ハウジング４１に差し込まれたフレキシブル印刷配線基板１３に設けられた係止部１７に係合するための突起部とされた係合部６１と、その近傍に配された凸部６３とが設けられており、また、一対の側端部５４及び５５のうちの側端部５５に、配線板部材差込み部４３を通じて絶縁ハウジング４１に差し込まれたフレキシブル印刷配線基板１３に設けられた係止部１８に係合するための突起部とされた係合部６２と、その近傍に配された凸部６４とが設けられている。そして、図１０に示される係合部６１にフレキシブル印刷配線基板１３に設けられた係止部１７を挟んで対向する位置において、絶縁ハウジング４１の第２の端縁部４４に隆起部４６が設けられており、また、図１０に示される係合部６２にフレキシブル印刷配線基板１３に設けられた係止部１８を挟んで対向する位置において、絶縁ハウジング４１の第２の端縁部４４に隆起部４７が設けられている。その他の構成は、前述の図８及び図９に示されるコネクタ装置４０と同様である。
【００９８】
このようなもとで、図１０に示されるように、アクチュエータ５０が第１の静止位置をとる状態にあるとき、フレキシブル印刷配線基板１３の一端部が絶縁ハウジング４１に配線板部材差込み部４３を通じて差し込まれる。続いて、第１の静止位置をとるアクチュエータ５０が、回動操作により、図１０に示される第１の静止位置から図１１に示される第２の静止位置に移行すべく、仮想回転中心軸の周りを絶縁ハウジング４１の第１の端縁部４２から第２の端縁部４４に向かう方向に回動せしめられると、それに伴って、絶縁ハウジング４１内において配列配置された複数のコンタクト４５の夫々に、絶縁ハウジング４１に差し込まれたフレキシブル印刷配線基板１３の一端部における複数の接続端子部１４のうちの対応するものに押圧接触する状態をとらせる。それにより、フレキシブル印刷配線基板１３が、コネクタ装置６０を介して、コネクタ装置６０が固定された主配線基板に電気的に連結されて取り付けられることになる。
【００９９】
また、このとき、第１の静止位置から仮想回転中心軸の周りを絶縁ハウジング４１の第１の端縁部４２から第２の端縁部４４に向かう方向に回動して図１１に示されるように第２の静止位置をとるものとされたアクチュエータ５０は、それに設けられた係合部６１及び６２を、絶縁ハウジング４１に差し込まれたフレキシブル印刷配線基板１３における一対の先端部分１５及び１６に設けられた係止部１７及び１８に夫々係合させる。また、それとともに、アクチュエータ５０は、それに設けられた凸部６３及び６４によって、絶縁ハウジング４１に差し込まれたフレキシブル印刷配線基板１３の先端部分１５における係止部１７が形成された部分及び先端部分１６における係止部１８が形成された部分を夫々押圧する。
【０１００】
フレキシブル印刷配線基板１３の先端部分１５における係止部１７が形成された部分を押圧する凸部６３は、フレキシブル印刷配線基板１３の先端部分１５を、図１１に示されるように、絶縁ハウジング４１の第２の端縁部４４の下方側へと押し下げそれに撓み変形を生じさせて、係止部１７を絶縁ハウジング４１の第２の端縁部４４に係合させ、同様に、フレキシブル印刷配線基板１３の先端部分１６における係止部１８が形成された部分を押圧する凸部６４は、フレキシブル印刷配線基板１３の先端部分１６を絶縁ハウジング４１の第２の端縁部４４の下方側へと押し下げそれに撓み変形を生じさせて、係止部１８を絶縁ハウジング４１の第２の端縁部４４に係合させる。
【０１０１】
斯かる際における係合部６１の係止部１７との係合及び係合部６２の係止部１８との係合は、係合部６１及び６２が係止部１７及び１８に夫々挿入されることにより行われる。さらに、係止部１７の絶縁ハウジング４１の第２の端縁部４４との係合は、係止部１７の一部が絶縁ハウジング４１の第２の端縁部４４に設けられた隆起部４６に当接せしめられることにより行われ、また、係止部１８の絶縁ハウジング４１の第２の端縁部４４との係合は、係止部１８の一部が絶縁ハウジング４１の第２の端縁部４４に設けられた隆起部４７に当接せしめられることにより行われる。
【０１０２】
図１１には、アクチュエータ５０に設けられた係合部６１が、フレキシブル印刷配線基板１３における先端部分１５に設けられた係止部１７に係合し、さらに、係止部１７の一部が、絶縁ハウジング４１の第２の端縁部４４に設けられた隆起部４６に当接せしめられた状態が示されている。アクチュエータ５０に設けられた係合部６２及びフレキシブル印刷配線基板１３における先端部分１６に設けられた係止部１８も、図示されていないが、係合部６１及び係止部１７と同様にして、係合部６２が係止部１８に係合し、さらに、係止部１８の一部が絶縁ハウジング４１の第２の端縁部４４に設けられた隆起部４７に当接せしめられる。
【０１０３】
このとき、係合部６１及びそれが係合した係止部１７は、アクチュエータ５０の仮想回転中心軸の位置より絶縁ハウジング４１の第２の端縁部４４寄りとなる位置又は絶縁ハウジング４１の第２の端縁部４４の外方となる位置におかれ、また、係合部６２及びそれが係合した係止部１８も、アクチュエータ５０の仮想回転中心軸の位置より絶縁ハウジング４１の第２の端縁部４４寄りとなる位置又は絶縁ハウジング４１の第２の端縁部４４の外方となる位置におかれる。
【０１０４】
さらに、絶縁ハウジング４１は、図１１に示されるコネクタ装置６０の下方に配される底面部が、図示が省略された、例えば、電子機器の主配線基板上に配されて、その主配線基板に固定されるが、上述のようにして、アクチュエータ５０に設けられた係合部６１及び６２が、フレキシブル印刷配線基板１３における先端部分１５及び１６に設けられた係止部１７及び１８に夫々係合した状態におかれるときには、係合部６１及びそれが係合した係止部１７が、アクチュエータ５０の仮想回転中心軸の位置より主配線基板側（絶縁ハウジング４１の底面部側）の位置におかれ、また、係合部６２及びそれが係合した係止部１８も、アクチュエータ５０の仮想回転中心軸の位置より主配線基板側（絶縁ハウジング１１の底面部側）の位置におかれる。
【０１０５】
このようにして、アクチュエータ５０に設けられた係合部６１及び６２が、フレキシブル印刷配線基板１３における先端部分１５及び１６に設けられた係止部１７及び１８に夫々係合するとともに、アクチュエータ５０に設けられた凸部６３及び６４が、係止部１７及び１８を絶縁ハウジング４１の第２の端縁部４４に係合させ、それにより、係合部６１及び６２及び凸部６３及び６４が、絶縁ハウジング４１に差し込まれたフレキシブル印刷配線基板１３の絶縁ハウジング４１からの抜脱を阻止する役割を果たす。
【０１０６】
その際、上述のように、係合部６１及びそれが係合した係止部１７が、アクチュエータ５０の仮想回転中心軸の位置より絶縁ハウジング４１の第２の端縁部４４寄りとなる位置又は絶縁ハウジング４１の第２の端縁部４４の外方となる位置におかれ、また、係合部６２及びそれが係合した係止部１８も、アクチュエータ５０の仮想回転中心軸の位置より絶縁ハウジング４１の第２の端縁部４４寄りとなる位置又は絶縁ハウジング４１の第２の端縁部４４の外方となる位置におかれることにより、絶縁ハウジング４１に差し込まれたフレキシブル印刷配線基板１３にそれを絶縁ハウジング４１から抜脱させる方向の外力、即ち、絶縁ハウジング４１の抜脱方向の外力が作用し、その外力が、係止部１７及び１８を介して係合部６１及び６２に伝えられるとき、当該外力は、係合部６１及び６２を介してアクチュエータ５０に、それをフレキシブル印刷配線基板１３に向かう方向に仮想回転中心軸の周りを回動させようとする力を作用させる。
【０１０７】
それゆえ、係止部１７及び１８を介して係合部６１及び６２に伝えられるフレキシブル印刷配線基板１３の抜脱方向の外力が比較的大とされる場合にも、アクチュエータ５０に、それをフレキシブル印刷配線基板１３に向かう方向に仮想回転中心軸の周りを回動させようとする比較的大なる力が作用して、係合部６１及び６２の係止部１７及び１８に対する係合が強められて、フレキシブル印刷配線基板１３の絶縁ハウジング４１からの抜脱の阻止が強固に行われる。
【０１０８】
さらに、アクチュエータ５０に設けられた凸部６３及び６４が、フレキシブル印刷配線基板１３における先端部分１５及び１６に設けられた係止部１７及び１８の夫々を絶縁ハウジング４１の第２の端縁部４４に係合させることにより、絶縁ハウジング４１に差し込まれたフレキシブル印刷配線基板１３にそれを絶縁ハウジング４１から抜脱させる方向の外力、即ち、絶縁ハウジング４１の抜脱方向の外力が作用するとき、その外力が、係止部１７及び１８を介して、絶縁ハウジング４１の第２の端縁部４４に伝達され、絶縁ハウジング４１により吸収されることになる。それゆえ、係合部６１及び６２及び凸部６３及び６４が設けられたアクチュエータ５０についての、外力に対する耐性の向上が図られ、フレキシブル印刷配線基板１３の絶縁ハウジング４１からの抜脱の阻止がより一層強固に行われる。
【０１０９】
従って、係止部１７及び１８, それらに夫々係合する係合部６１及び６２、及び、係合部６１及び６２の近傍に夫々配された凸部６３及び６４によって、絶縁ハウジング４１に差し込まれたフレキシブル印刷配線基板１３の絶縁ハウジング４１からの抜脱防止が確実に行われることになる。
【０１１０】
さらに、前述のように、係合部６１及びそれが係合した係止部１７が、アクチュエータ５０の仮想回転中心軸の位置より絶縁ハウジング４１が固定される主配線基板側（絶縁ハウジング４１の底面部側）の位置におかれ、また、係合部６２及びそれが係合した係止部１８も、アクチュエータ５０の仮想回転中心軸の位置より主配線基板側（絶縁ハウジング４１の底面部側）の位置におかれることによっても、絶縁ハウジング４１に差し込まれたフレキシブル印刷配線基板１３にそれを絶縁ハウジング４１から抜脱させる方向の外力、即ち、絶縁ハウジング４１の抜脱方向の外力が作用し、その外力が、絶縁ハウジング４１に設けられた係止部１７及１８を介してアクチュエータ５０に設けられた係合部６１及び６２に伝えられるとき、当該外力が、係合部６１及び６２を介してアクチュエータ５０に、それをフレキシブル印刷配線基板１３に向かう方向に仮想回転中心軸の周りを回動させようとする力を作用させる状態が得られる。
【０１１１】
それゆえ、係止部１７及び１８を介して係合部６１及び６２に伝えられるフレキシブル印刷配線基板１３の抜脱方向の外力が比較的大とされる場合には、アクチュエータ５０に、それをフレキシブル印刷配線基板１３に向かう方向に仮想回転中心軸の周りを回動させようとする比較的大なる力が作用して、係合部６１及び６２の係止部１７及び１８に対する係合がより一層強められて、フレキシブル印刷配線基板１３の絶縁ハウジング４１からの抜脱の阻止が更に強固に行われる。その結果、係止部１７及び１８とそれらに夫々係合する係合部６１及び６２とによる、絶縁ハウジング４１に差し込まれたフレキシブル印刷配線基板１３の絶縁ハウジング４１からの抜脱防止が、さらに確実に行われることになる。
【０１１２】
しかも、上述のような絶縁ハウジング４１に差し込まれたフレキシブル印刷配線基板１３の絶縁ハウジング４１からの抜脱の確実な防止が、フレキシブル印刷配線基板１３に設けられた、例えば、透孔部とされる係止部１７及び１８に夫々係合する、例えば、突起部とされる係合部６１及び６２、さらには、係合部６１及び６２の近傍に配される凸部６３及び６４を、アクチュエータ５０における仮想回転中心軸の位置より絶縁ハウジング４１の第２の端縁部４４寄り又は第２の端縁部４４の外方側となる位置に設けることにより果たされるので、全体の構成が比較的簡単なものとされ、かつ、全体の小型・薄型化を図ることが可能とされる。
【０１１３】
即ち、コネクタ装置６０によっても、比較的簡単で小型・薄型化に適した構成をもって、配線板部材差込み部４３を通じて絶縁ハウジング４１に差し込まれたフレキシブル印刷配線基板１３の絶縁ハウジング４１からの抜脱を確実に防止することができることになる。
【産業上の利用可能性】
【０１１４】
以上のような本願発明に係るコネクタ装置は、フレキシブル印刷配線基板等の配線板部材の電子機器の主配線基板等への取付けに用いられる、配線板部材差込み部が設けられた絶縁ハウジングと、絶縁ハウジング内に配された複数のコンタクトと、回動操作されて複数のコンタクトに係合するアクチュエータとを備えたコネクタ装置であって、比較的簡単で小型・薄型化に適した構成をもって、絶縁ハウジングに差し込まれた配線板部材の絶縁ハウジングからの抜脱を確実に防止することができるものとして、様々な電子機器等に広く適用され得るものである。
【符号の説明】
【０１１５】
１０，４０，６０・・・コネクタ装置，  １１，４１・・・絶縁ハウジング，  １２，４３・・・配線板部材差込み部，  １３・・・フレキシブル印刷配線基板，  １４・・・接続端子部，  １５，１６・・・先端部分，  １７，１８・・・係止部，  ２０，４５・・・コンタクト，  ２１・・・固定ビーム部，  ２２・・・可動ビーム部，  ２３・・・連結支柱部，  ３０，５０・・・アクチュエータ，  ３１・・・カム部，  ３３・・・仮想回転中心軸，  ３４，３５・・・側端部，  ３６，３７，５６，５７，６１，６２・・・係合部，  ４２・・・（絶縁ハウジング４１の）第１の端縁部，  ４４・・・（絶縁ハウジング４１の）第２の端縁部，  ４６，４７・・・隆起部，  ６３，６４・・・凸部
【図１】
2010257933.tif 000003
【図２】
2010257933.tif 000004
【図３】
2010257933.tif 000005
【図４】
2010257933.tif 000006
【図５】
2010257933.tif 000007
【図６】
2010257933.tif 000008
【図７】
2010257933.tif 000009
【図８】
2010257933.tif 000010
【図９】
2010257933.tif 000011
【図１０】
2010257933.tif 000012
【図１１】
2010257933.tif 000013